(57)【要約】【課題】  比較的簡単な操作により、携帯電話機からリアルタイムに同報通話を行うことが可能な手段を提供する。【解決手段】  同報通話を行う場合、移動機１００は、ネットワーク１２０を経由して同報通話装置１１０へ接続し、グループコード記憶部１０８よりグループコードを読み出し、グループコード通信部１０６より同報通話装置１１０へ通知する。移動機１００より発話する場合には、通話ボタン１０５を押す。発話を終了する場合は、通話ボタン１０５を離す。そして通話ボタン１０５が押されている間に音声入力部１０４より入力された音声を、発話部１０３を通し同報通話装置１１０に送る。同報通話装置１１０の同報通信制御部１１１は、移動機１００より送られたグループコードを元に内部のグループコード記録部１１２を参照することにより、移動機１００より受信した音声情報を同じグループに属する他の移動機全てに転送する。【選択図】        図１
2005102033.tif 000002
【特許請求の範囲】
【請求項１】
ネットワークと、該ネットワークに接続された携帯電話機および同報通話装置からなり、
前記携帯電話機には、同報通話を行うための相手を特定した複数のメンバーの電話番号からなるグループを、グループコードを付して記憶するグループコード記憶部と、該グループコード記憶部に記憶されたグループコード及びメンバーの電話番号を前記同報通話装置へ送信する機能と、前記同報通話装置より送信された当該グループの他の携帯電話機からの音声情報を受信して再生する機能と、前記携帯電話機から発話する際に押す通話ボタンと、該通話ボタンが押されている間に発話された音声を入力し、該入力した音声に前記グループコードを付して前記同報通話装置へ送信する機能とを設け、
前記同報通話装置には、前記携帯電話機から送信されたグループコード及びメンバーの電話番号を記録して保持するグループコード記録部と、前記携帯電話機から前記グループコードが付された音声を受信したとき、当該グループコードに記録されている他の接続可能な全てのメンバーの携帯電話機に対して前記音声を配信する機能とを設けた
ことを特徴とする携帯電話での同報通話システム。
【請求項２】
請求項１に記載の同報通話システムに用いられる携帯電話機であって、同報通話を行うための相手を特定した複数のメンバーの電話番号からなるグループを、グループコードを付して記憶するグループコード記憶部と、該グループコード記憶部に記憶されたグループコード及びメンバーを前記同報通話装置へ送信する機能と、前記同報通話装置より送信された当該グループの他の携帯電話機からの音声情報を受信して再生する機能と、前記携帯電話機から発話する際に押す通話ボタンと、該通話ボタンが押されている間に発話された音声を入力し、該入力した音声に前記グループコードを付して前記同報通話装置へ送信する機能とを設けたことを特徴とする携帯電話機。
【請求項３】
請求項１に記載の同報通話システムに用いられる同報通話装置であって、前記携帯電話機から送信されたグループコード及びメンバーの電話番号を記録して保持するグループコード記録部と、前記携帯電話機から前記グループコードが付された音声を受信したとき、当該グループコードに記録されている他の接続可能な全てのメンバーの携帯電話機に対して前記音声を配信する機能とを設けたことを特徴とする同報通話装置。
【発明の詳細な説明】
【技術分野】
【０００１】
本発明は、同報通話システムに関し、特に、携帯電話により複数（３人以上）のグループの間でリアルタイムに同報通話を行うことを可能にする同報通話システムに関する。
【背景技術】
【０００２】
従来、携帯電話での通話は交換機を経由した１対１通話、または交換機側で提供する３者通話機能を用いた３者間通話が基本であり、通話相手の特定のためには通話相手の電話番号を交換機へ伝える必要がある。また通話は、互いに同時に話すことが基本である。
【０００３】
一方、電話機等の通信端末において、同一内容の音声情報を複数の相手に伝える同報通話を行う方法として、ネットワーク事業者が同報通信サービスを提供している場合、それを利用して同報通話を行う方法、あるいは、電話機等の通信端末側のローカル操作のみで音声情報を順次同報通信する方法等が考えられている（特許文献１〜２参照）。
【０００４】
ネットワーク事業者が提供している同報通信サービスを利用して同報通信を行うには、まず、発呼を行ってセンター（事業者側の同報通信のための設備）に接続し、続いて、同報する音声情報であるメッセージの録音を行い、次にキー入力による同報先の設定を行い、最後に終話操作を行って、同報通信の操作を終了する。一方、センターでは、発呼先通信端末からの同報先情報に従って、受信した音声情報を各同報先に送話する。
【０００５】
また、電話機等の通信端末側のローカル操作のみで音声情報を順次同報通信する方法では、通信端末に設けられた同報転送テーブルに、グループ単位で同報転送先を記憶しておき、同報送信を行う際には、同報送信する音声メッセージを音声データ記憶部に録音するとともに、グループ名を指定して同報送信を指示すると、通信端末は、同報送信処理を開始する。
【０００６】
携帯電話機の場合、基地局との通信が可能であれば、同報転送テーブルの指定されたグループに登録されている電話番号の中から１つの電話番号に対する発呼を行い、接続されると、音声データ記憶部に録音されている音声データを再生して送信する。送信が完了すると、終話処理を行い、同報転送テーブルの指定されたグループに登録されている他の電話番号に対しても同様の処理を行う。同報転送テーブルの指定されたグループに登録されているすべての電話番号に対する送信が完了すると、同報送信処理を終了する。
【特許文献１】特開２０００−１３４３０７号公報
【特許文献２】特開２００１−３０９０２２号公報
【発明の開示】
【発明が解決しようとする課題】
【０００７】
上記特許文献に記載の同報通信は、同報送信する音声メッセージを音声データ記憶部に録音しておき、同報送信するグループ内の電話番号を順次発呼することにより、音声データ記憶部に録音されている音声メッセージを各相手側端末に順次送信するものであり、同報送信するグループ内の全ての端末にリアルタイムに音声メッセージを送信することはできない。
【０００８】
また、前記ネットワーク事業者が提供している同報通信サービスを利用して同報通信を行う場合、センターを呼び出した後、同報する音声情報であるメッセージの録音を行い、次にキー入力による同報先の設定を順次行わなければならないため、同報先が多数ある場合にはその都度多数の同報先キー入力操作を行わなければならず、操作が面倒であるという問題もある。
【０００９】
本発明の目的は、上記問題点に鑑み、比較的簡単な操作により、携帯電話機からリアルタイムに同報通話を行うことが可能な手段を提供することにある。
【課題を解決するための手段】
【００１０】
本発明の携帯電話での同報通話システムは、ネットワークと、該ネットワークに接続された携帯電話機および同報通話装置からなり、携帯電話機から同報通話装置に対して、同報通話を行うための相手を特定した複数のメンバーの電話番号からなるグループを、グループコードを付して登録しておく。そして、同報通話を行う際には、同報通話装置を呼び出してグループコードを送信すると、同報通話装置が当該グループコードのメンバーの電話番号に発呼を行って各携帯電話機を接続し、この同報通話装置経由で当該グループコードに登録されているメンバー間におけるリアルタイムの同報通話を可能にしたことを特徴とする。
【００１１】
具体的には、本発明の携帯電話での同報通話システムは、ネットワークと、該ネットワークに接続された携帯電話機および同報通話装置からなり、前記携帯電話機には、同報通話を行うための相手を特定した複数のメンバーの電話番号からなるグループを、グループコードを付して記憶するグループコード記憶部と、該グループコード記憶部に記憶されたグループコード及びメンバーの電話番号を前記同報通話装置へ送信する機能と、前記同報通話装置より送信された当該グループの他の携帯電話機からの音声情報を受信して再生する機能と、前記携帯電話機から発話する際に押す通話ボタンと、該通話ボタンが押されている間に発話された音声を入力し、該入力した音声に前記グループコードを付して前記同報通話装置へ送信する機能とを設け、前記同報通話装置には、前記携帯電話機から送信されたグループコード及びメンバーの電話番号を記録して保持するグループコード記録部と、前記携帯電話機から前記グループコードが付された音声を受信したとき、当該グループコードに記録されている他の接続可能な全てのメンバーの携帯電話機に対して前記音声を配信する機能とを設けたことを特徴とする。
【発明の効果】
【００１２】
本発明によれば、予め登録しておいた特定多数に対して、通話相手の電話番号などを通話時に入力することなく、通話ボタンを押すだけで同報発話を行うことができるので、迅速かつ簡単な操作により携帯電話機からリアルタイムに同報通話（発話）を行うことができる。
【００１３】
また、同報通話装置（サーバ）に、グループコードを設定して本発明の同報通話を行うメンバーの電話番号を登録しておき、互いに離れた場所で携帯電話によるメンバー間での会話あるいは会議を比較的簡単な構成で実現することも可能となる。
【発明を実施するための最良の形態】
【００１４】
図１は、本発明の実施形態を示す携帯電話での同報通話システムのブロック図であり、携帯電話機等の移動機１００と、移動機１００が接続されるネットワーク１２０と、ネットワーク１２０に接続される同報通話装置１１０によって構成される。
【００１５】
携帯電話機等の移動機１００は、同報通話装置１１０より送られてきた音声情報を受信する機能を有する受話部１０１と、同報通話装置１１０より送られてきた音声情報を再生する機能を有する受話音声再生部（スピーカ）１０２と、使用者が発声した音声情報を送信する機能を有する発話部１０３と、発話者の音声を発話部１０３に入力する機能を有する音声入力部（マイク）１０４と、ボタンを押している間は発話可能となる機能を持つ通話ボタン１０５と、グループコード記憶部１０８に登録されたグループコードを同報通話装置１１０に送信する機能を有するグループコード通信部１０６と、グループコードをユーザ操作により設定し、グループコード記憶部１０８に保存する機能を有するグループコード設定部１０７と、ユーザにより設定されたグループコードを記憶する機能を有するグループコード記憶部１０８を備えている。
【００１６】
この移動機１００は上記同報通話機能を持つ携帯電話機として構成されており、図では通常の携帯電話機としての機能ブロックは省略されているが、同報通話機能を実行する際には無線基地局からネットワーク１２０経由で同報通話装置１１０へ接続される。同報通話機能は移動機１００に設けられたグループコード設定部１０７より設定され、グループコード記憶部１０８に通話グループを特定するグループコードが記憶されるとともにグループコード通信部１０６から同報通話装置１１０に送信される。
【００１７】
ネットワーク１２０に接続される同報通話装置１１０は、移動機１００からの発話情報を、グループコードを参照して同一グループ内の他の移動機へ配信する機能を有する同報通話制御部１１１と、ユーザにより設定されグループコード通信部１０６を介して送信されたグループ情報をグループコード毎に記憶するグループコード記録部１１２を備えている。
【００１８】
また、ネットワーク１２０は、複数の携帯電話機１００とサーバとしての同報通話装置１１０が接続されて、音声などの情報を通すことが可能な適宜のネットワークとして構成される。
【００１９】
次に、本実施形態の動作について、図１を参照して説明する。
【００２０】
同報通話サービスを受けようとする場合、移動機１００は、移動機１００に設けられているブラウザソフトを使うことにより、同報通話装置１１０に付属するＷｅｂサーバに接続する。同報通話装置１１０に接続されると、移動機１００の画面上に同報通話装置１１０に用意されたグループコードを入力するためのメニュー画面が表示されるので、グループコード設定部１０７により設定されてグループコード記憶部１０８に記憶されているグループコードと当該グループコードに属する移動機１００の電話番号をネットワーク経由で送信する。
【００２１】
同報通話装置１００は、送られてきたグループコード情報と、送ってきた移動機１００の電話番号を、同報通話装置１００のデータベース１１２に登録することによって設定しておく。その結果、同報通話装置１１０には、設定されたグループコードと各グループコードに属する移動機の電話番号が、グループコード毎にグループコード記録部１１２に保存される。
【００２２】
同報通話を行う場合、移動機１００は、ネットワーク１２０を経由して同報通話装置１１０へ接続し、グループコード記憶部１０８よりグループコードを読み出し、グループコード通信部１０６より同報通話装置１１０へ通知する。移動機１００が複数のグループに所属している場合には、移動機１００の画面上に、登録しているグループを一覧表示させ、その中からどのグループに対して同報通話を行うのかを指定して同報通話装置１１０へ通知する。
【００２３】
同報通話装置１１０へグループコードを通知した後、移動機１００より発話する場合には、通話ボタン１０５を押す。発話を終了する場合は、通話ボタン１０５を離す。そして通話ボタン１０５が押されている間に音声入力部１０４より入力された音声を、発話部１０３を通し同報通話装置１１０に送る。
【００２４】
同報通話装置１１０の同報通信制御部１１１は、移動機１００より送られたグループコードを元に内部のグループコード記録部１１２を参照することにより、移動機１００より受信した音声情報を同じグループに属する他の移動機全てに転送する。このようにして、特定多数の携帯電話に対する同報通話を可能にする。
【００２５】
なお、本発明の携帯電話での同報通話システムは、同時に複数の話者による発話を行うことはできず、話者は１名であって、ある移動機が発話中は、他の移動機は通話ボタン１０５を押しても発話することはできない。発話中の移動機の発話が終了すると、その後最初に通話ボタン１０５が押された移動機からの発話が優先的に同報通話装置１１０から他の移動機に送信される。
【００２６】
その際、同報通信制御部１１１は、現在接続されている移動機に対して発話中の移動機の通話を送信するが、例えば、当該グループ内の移動機１００の内、通話先の移動機が電波の届かないところ/電源が入っていない等により接続不可能な移動機は同報通話対象から除外され、それらの移動機に対するフォローは行わない。同報通話対象から除外された移動機がある場合、その情報を接続された各移動機に通知して各移動機端末の表示部に表示する構成としてもよい。
【図面の簡単な説明】
【００２７】
【図１】本発明の実施形態を示すシステムブロック図である。
【符号の説明】
【００２８】
１００  移動機
１０１  受話部
１０２  スピーカ
１０３  発話部
１０４  マイク
１０５  通話ボタン
１０６  グループコード通信部
１０７  グループコード設定部
１０８  グループコード記憶部
１１０  同報通話装置
１１１  同報通話制御部
１１２  グループコード記録部
１２０  ネットワーク
【図１】
2005102033.tif 000003